【手続補正書】
【提出日】平成26年2月21日(2014.2.21)
【手続補正１】
【補正対象書類名】特許請求の範囲
【補正対象項目名】全文
【補正方法】変更
【補正の内容】
【特許請求の範囲】
【請求項１】
無線ネットワークに未参加の無線通信端末が前記無線ネットワークに参加するために前記無線ネットワークに参加中の無線通信端末との間で行う参加セットアップ処理のうち、前記無線ネットワークへの参加に必要な認証識別子が固定値である処理を第１セットアップ処理、前記認証識別子が固定値でない処理を第２セットアップ処理とするとき、
前記無線ネットワークに未参加である状態で、前記第１セットアップ処理を開始するトリガを受け付けるトリガ受付部と、
前記トリガを受け付けた後、他の無線通信端末が行う参加セットアップ処理を示すセットアップ情報の取得要求を送信する送信部と、
前記取得要求を受信した前記他の無線通信端末から送信された、前記セットアップ情報を含む応答を受信する受信部と、
複数の無線通信端末から、前記第１セットアップ処理を示す前記セットアップ情報を含む応答を受信した場合、前記送信部に、前記第１セットアップ処理を行う複数の無線通信端末を発見したことを示すエラー情報を前記複数の無線通信端末に対して送信させる制御を行うと共に、自身の無線通信端末が行う前記参加セットアップ処理を前記第２セットアップ処理に設定する制御を行う制御部と、
を有する無線通信端末。
【請求項２】
前記制御部は、前記送信部が送信した前記エラー情報に対して前記複数の無線通信端末の少なくとも１つから応答が受信された場合、前記送信部に、前記第２セットアップ処理の開始を示す開始情報を、前記エラー情報に対する応答を送信した無線通信端末に対して送信させる制御を行う請求項１に記載の無線通信端末。
【請求項３】
無線ネットワークに未参加の無線通信端末が前記無線ネットワークに参加するために前記無線ネットワークに参加中の無線通信端末との間で行う参加セットアップ処理のうち、前記無線ネットワークへの参加に必要な認証識別子が固定値である処理を第１セットアップ処理、前記認証識別子が固定値でない処理を第２セットアップ処理とするとき、
前記無線ネットワークに参加中である状態で、前記第１セットアップ処理を開始するトリガを受け付けるトリガ受付部と、
前記トリガを受け付けた後、前記未参加の無線通信端末から、他の無線通信端末が行う参加セットアップ処理を示すセットアップ情報の取得要求を受信する受信部と、
前記取得要求を受信した場合、前記第１セットアップ処理を示す前記セットアップ情報を含む応答を前記未参加の無線通信端末へ送信する送信部と、
無線ネットワークに未参加のいずれの無線通信端末との間においても前記第１セットアップ処理を実行していないときに、前記受信部が、前記第１セットアップ処理を行う複数の無線通信端末を発見したことを示すエラー情報を受信した場合、自身の無線通信端末が行う前記参加セットアップ処理を前記第２セットアップ処理に設定する制御を行う制御部と、
を有する無線通信端末。
【請求項４】
前記制御部は、前記受信部が前記エラー情報の送信元の無線通信端末から前記第２セットアップ処理の開始を示す開始情報を受信するまで、前記第２セットアップ処理の開始を待機する制御を行う請求項３に記載の無線通信端末。
【請求項５】
無線ネットワークに未参加の無線通信端末が前記無線ネットワークに参加するために前記無線ネットワークに参加中の無線通信端末との間で行う参加セットアップ処理のうち、前記無線ネットワークへの参加に必要な認証識別子が固定値である処理を第１セットアップ処理、前記認証識別子が固定値でない処理を第２セットアップ処理とするとき、
前記無線ネットワークに未参加である状態で、前記第１セットアップ処理を開始するトリガを受け付けるトリガ受付ステップと、
前記トリガを受け付けた後、他の無線通信端末が行う参加セットアップ処理を示すセットアップ情報の取得要求を送信する送信ステップと、
前記取得要求を受信した前記他の無線通信端末から送信された、前記セットアップ情報を含む応答を受信する受信ステップと、
複数の無線通信端末から、前記第１セットアップ処理を示す前記セットアップ情報を含む応答を受信した場合、前記第１セットアップ処理を行う複数の無線通信端末を発見したことを示すエラー情報を前記複数の無線通信端末に対して送信させる制御を行うと共に、自身の無線通信端末が行う前記参加セットアップ処理を前記第２セットアップ処理に設定する制御を行う制御ステップと、
を有する無線通信方法。
【請求項６】
無線ネットワークに未参加の無線通信端末が前記無線ネットワークに参加するために前記無線ネットワークに参加中の無線通信端末との間で行う参加セットアップ処理のうち、前記無線ネットワークへの参加に必要な認証識別子が固定値である処理を第１セットアップ処理、前記認証識別子が固定値でない処理を第２セットアップ処理とするとき、
前記無線ネットワークに参加中である状態で、前記第１セットアップ処理を開始するトリガを受け付けるトリガ受付ステップと、
前記トリガを受け付けた後、前記未参加の無線通信端末から、他の無線通信端末が行う参加セットアップ処理を示すセットアップ情報の取得要求を受信する受信ステップと、
前記取得要求を受信した場合、前記第１セットアップ処理を示す前記セットアップ情報を含む応答を前記未参加の無線通信端末へ送信する送信ステップと、
無線ネットワークに未参加のいずれの無線通信端末との間においても前記第１セットアップ処理を実行していないときに、前記第１セットアップ処理を行う複数の無線通信端末を発見したことを示すエラー情報を受信した場合、自身の無線通信端末が行う前記参加セットアップ処理を前記第２セットアップ処理に設定する制御を行う制御ステップと、
を有する無線通信方法。
【手続補正２】
【補正対象書類名】明細書
【補正対象項目名】発明の名称
【補正方法】変更
【補正の内容】
【発明の名称】無線通信端末および無線通信方法
【手続補正３】
【補正対象書類名】明細書
【補正対象項目名】０００１
【補正方法】変更
【補正の内容】
【０００１】
本発明は、無線ネットワークに参加中の無線通信端末との間で参加セットアップ処理を行って無線ネットワークに参加する無線通信端末および無線通信方法、および無線ネットワークに未参加の無線通信端末との間で参加セットアップ処理を行う、無線ネットワークに参加中の無線通信端末および無線通信方法に関する。
【手続補正４】
【補正対象書類名】明細書
【補正対象項目名】００１４
【補正方法】変更
【補正の内容】
【００１４】
本発明は、上述した課題に鑑みてなされたものであって、複数の未参加の無線通信端末を既存の無線ネットワークに加える場合に、参加セットアップ処理の待ち時間を短くし、また全ての未参加の無線通信端末が参加済みとなるまでの時間を短縮することができる無線通信端末および無線通信方法を提供することを目的とする。
【手続補正５】
【補正対象書類名】明細書
【補正対象項目名】００１５
【補正方法】変更
【補正の内容】
【００１５】
本発明は、上記の課題を解決するためになされたもので、無線ネットワークに未参加の無線通信端末が前記無線ネットワークに参加するために前記無線ネットワークに参加中の無線通信端末との間で行う参加セットアップ処理のうち、前記無線ネットワークへの参加に必要な認証識別子が固定値である処理を第１セットアップ処理、前記認証識別子が固定値でない処理を第２セットアップ処理とするとき、前記無線ネットワークに未参加である状態で、前記第１セットアップ処理を開始するトリガを受け付けるトリガ受付部と、前記トリガを受け付けた後、他の無線通信端末が行う参加セットアップ処理を示すセットアップ情報の取得要求を送信する送信部と、前記取得要求を受信した前記他の無線通信端末から送信された、前記セットアップ情報を含む応答を受信する受信部と、複数の無線通信端末から、前記第１セットアップ処理を示す前記セットアップ情報を含む応答を受信した場合、前記送信部に、前記第１セットアップ処理を行う複数の無線通信端末を発見したことを示すエラー情報を前記複数の無線通信端末に対して送信させる制御を行うと共に、自身の無線通信端末が行う前記参加セットアップ処理を前記第２セットアップ処理に設定する制御を行う制御部と、を有する無線通信端末である。
【手続補正６】
【補正対象書類名】明細書
【補正対象項目名】００１８
【補正方法】変更
【補正の内容】
【００１８】
また、本発明の無線通信端末において、前記制御部は、前記受信部が前記エラー情報の送信元の無線通信端末から前記第２セットアップ処理の開始を示す開始情報を受信するまで、前記第２セットアップ処理の開始を待機する制御を行う。
また、本発明は、無線ネットワークに未参加の無線通信端末が前記無線ネットワークに参加するために前記無線ネットワークに参加中の無線通信端末との間で行う参加セットアップ処理のうち、前記無線ネットワークへの参加に必要な認証識別子が固定値である処理を第１セットアップ処理、前記認証識別子が固定値でない処理を第２セットアップ処理とするとき、前記無線ネットワークに未参加である状態で、前記第１セットアップ処理を開始するトリガを受け付けるトリガ受付ステップと、前記トリガを受け付けた後、他の無線通信端末が行う参加セットアップ処理を示すセットアップ情報の取得要求を送信する送信ステップと、前記取得要求を受信した前記他の無線通信端末から送信された、前記セットアップ情報を含む応答を受信する受信ステップと、複数の無線通信端末から、前記第１セットアップ処理を示す前記セットアップ情報を含む応答を受信した場合、前記第１セットアップ処理を行う複数の無線通信端末を発見したことを示すエラー情報を前記複数の無線通信端末に対して送信させる制御を行うと共に、自身の無線通信端末が行う前記参加セットアップ処理を前記第２セットアップ処理に設定する制御を行う制御ステップと、を有する無線通信方法である。
また、本発明は、無線ネットワークに未参加の無線通信端末が前記無線ネットワークに参加するために前記無線ネットワークに参加中の無線通信端末との間で行う参加セットアップ処理のうち、前記無線ネットワークへの参加に必要な認証識別子が固定値である処理を第１セットアップ処理、前記認証識別子が固定値でない処理を第２セットアップ処理とするとき、前記無線ネットワークに参加中である状態で、前記第１セットアップ処理を開始するトリガを受け付けるトリガ受付ステップと、前記トリガを受け付けた後、前記未参加の無線通信端末から、他の無線通信端末が行う参加セットアップ処理を示すセットアップ情報の取得要求を受信する受信ステップと、前記取得要求を受信した場合、前記第１セットアップ処理を示す前記セットアップ情報を含む応答を前記未参加の無線通信端末へ送信する送信ステップと、無線ネットワークに未参加のいずれの無線通信端末との間においても前記第１セットアップ処理を実行していないときに、前記第１セットアップ処理を行う複数の無線通信端末を発見したことを示すエラー情報を受信した場合、自身の無線通信端末が行う前記参加セットアップ処理を前記第２セットアップ処理に設定する制御を行う制御ステップと、を有する無線通信方法である。